(57)【特許請求の範囲】
【請求項１】
表示デバイスと、
前記表示デバイスの表示面の周辺部を覆って、前記表示デバイスの前面側に配置された枠体と、
前記枠体に着脱可能な、前記表示デバイスの前記表示面を覆う可撓性を有する材料により形成されたフィルタとを備え、
前記フィルタは、外縁部における４辺にそれぞれ突出部を有し、
前記枠体は、前記フィルタの少なくとも一つの前記突出部を係合可能な係合部を有し、
前記フィルタが前記枠体に装着されているとき、前記突出部の内の少なくとも一つが前記枠体の表面に当接する、電子装置。
【請求項２】
請求項１に記載の電子装置に用いられるフィルタであって、
可視光を透過する矩形形状の光透過部と、
前記光透過部の外縁を構成する４辺の内の相対向する一対の外縁辺それぞれに備え、前記一対の外縁辺における間隔の第１の中心線から前記一対の外縁辺方向にそれぞれ突出する第１の突出部及び第２の突出部と、
前記４辺の内の前記一対の外縁辺に直交する一方の外縁辺に備え、前記一対の外縁辺の第２の中心線から前記一方の外縁辺方向に突出する第３の突出部と、
前記光透過部を介して前記一方の外縁辺と対向する他方の外縁辺に備え、前記第２の中心線から前記他方の外縁辺方向に突出する第４の突出部とを備えた、フィルタ。
【請求項３】
前記第１の突出部、前記第２の突出部、前記第３の突出部、および前記第４の突出部は、当該フィルタの表裏を識別可能な識別子である、請求項２記載のフィルタ。
【請求項４】
前記識別子は、前記第１の突出部における突出方向に対し直交する方向の第３の中心線、及び前記第２の突出部における突出方向に対し直交する方向の第４の中心線のそれぞれと前記一方の外縁辺との離隔距離が、前記第３の中心線及び前記第４の中心線と前記他方の外縁辺との離隔距離よりも短い突出部を含む、請求項３記載のフィルタ。
【請求項５】
前記識別子は、前記第１の突出部の突出方向に対し直交する第１の突出幅を有する前記第１の突出部と、前記第２の突出部の突出方向に対し直交しかつ前記第１の突出幅とは異なる第２の突出幅を有する前記第２の突出部とを含む、請求項３記載のフィルタ。
【請求項６】
前記識別子は、前記第３の中心線と前記一方の外縁辺との距離と、前記第４の中心線と当該一方の外縁辺との距離とが異なる、請求項３記載のフィルタ。
【請求項７】
前記識別子は、前記可視光が前記光透過部から出射する面を識別する識別部を備える、請求項３記載のフィルタ。
【請求項８】
前記識別子は、分離独立した複数の突出部からなる、請求項３記載のフィルタ。
【請求項９】
前記識別子は、
前記第１の中心線を挟んで、非対称位置および／または非対称形状に形成されている、請求項３記載のフィルタ。
【発明の詳細な説明】
【技術分野】
【０００１】
本願は、ディスプレイデバイスに装着可能なフィルタに関する。本願は、フィルタを装着可能なディスプレイデバイスを備えた電子装置に関する。
【背景技術】
【０００２】
近年、例えばノート型のパーソナルコンピュータ（以下、ノートパソコンという）で代表される携帯型の情報処理装置は、各種の文章や表あるいは図形の作成に多方面で使用されている。さらに、情報処理装置は、電子メールによるコミュニケーションのツールとして多くの分野で使用されている。そして、情報処理装置は、小型化、薄型化、軽量化が進み、外出の際に持ち運んで外出先でも使用することが多く行われている。
【０００３】
このように、ノートパソコンは、多方面で使用されるようになってきている。このため、ユーザーにおけるノートパソコンを用いた作業時間が長くなってきており、ノートパソコンに搭載されている液晶ディスプレイを視認する時間も長くなってきている。このように、液晶ディスプレイを長時間視認することにより、ユーザーは目に疲労感や不快感を感じることが多くなる。
【０００４】
特開平１１−５２８７６号公報は、ユーザーが感じる不快感や疲労感を抑制するために、ノートパソコンの表示部の筐体内に、巻き取り部によって巻き取り可能なフィルタを設け、このフィルタを引き出して液晶表示面を覆うことができる構成を開示している。
【先行技術文献】
【特許文献】
【０００５】
【特許文献１】特開平１１−５２８７６号公報
【発明の概要】
【発明が解決しようとする課題】
【０００６】
しかしながら、特開平１１−５２８７６号公報が開示している構成では、筐体が大型化してしまい、小型化、薄型化の阻害要因になる。
【課題を解決するための手段】
【０００７】
本願のフィルタは、可視光を透過する矩形形状の光透過部と、前記光透過部の外縁を構成する４辺の内の相対向する一対の外縁辺それぞれに備え、前記一対の外縁辺における間隔の第１の中心線から前記一対の外縁辺方向にそれぞれ突出する第１の突出部及び第２の突出部と、前記４辺の内の前記一対の外縁辺に直交する一方の外縁辺に備え、前記一対の外縁辺の第２の中心線から前記一方の外縁辺方向に突出する第３の突出部と、前記光透過部を介して前記一方の外縁辺と対向する他方の外縁辺に備え前記第２の中心線から前記他方の外縁辺方向に突出する第４の突出部とを備える。
【０００８】
本願の電子装置は、表示デバイスと、前記表示デバイスの表示面の周辺部を覆って、前記表示デバイスの前面側に配置された枠体と、前記枠体に着脱可能な、前記表示デバイスの前記表示面を覆う可撓性を有する材料により形成されたフィルタとを備え、前記フィルタは、外縁部における４辺にそれぞれ突出部を有し、前記枠体は、前記フィルタの少なくとも一つの前記突出部を係合可能な係合部を有し、前記フィルタが前記枠体に装着されているとき、前記突出部の内の少なくとも一つが前記枠体の表面に当接するものである。
【発明の効果】
【０００９】
本願のフィルタによれば、電子装置を小型化及び薄型化することができる。
【図面の簡単な説明】
【００１０】
【図１】一実施の形態におけるフィルタの平面図
【図２】フィルタ装着前のノートパソコンの斜視図
【図３】図２のＡ−Ａ矢視断面図
【図４】フィルタ装着後のノートパソコンの斜視図
【図５】変形例１にかかるフィルタの平面図
【図６】変形例１にかかるフィルタが装着されたノートパソコンの斜視図
【図７】変形例１にかかるフィルタの平面図
【図８】変形例２にかかるフィルタの平面図
【図９】変形例３にかかるフィルタの平面図
【図１０】変形例４にかかるフィルタの平面図
【図１１】変形例２にかかるフィルタが装着されたノートパソコンの斜視図
【図１２】変形例２にかかるフィルタが誤った向きで装着されたノートパソコンの斜視図
【発明を実施するための形態】
【００１１】
（実施の形態）
〔１．フィルタの構成〕
特開平１１−５２８７６号公報は、ノートパソコンの表示部の筐体内に、巻き取り部によって巻き取り可能なフィルタを設け、このフィルタを引き出して液晶表示面を覆うようにする構成を開示している。しかし、特開平１１−５２８７６号公報が開示しているようにフィルタを巻き取る構成では、フィルタが湾曲状に塑性変形することがある。したがって、フィルタを巻き取り部から引き出したときに、表示部に対して湾曲状態となり、ユーザーに違和感を与える可能性がある。
【００１２】
また、ノートパソコンの表示部における表示面の光の反射防止や表示面の視認角度制限等をするために、ノートパソコンの表示部に貼着可能なフィルタが商品化されている。しかし、このような構成では、表示部にフィルタを着脱する際に、ユーザーがフィルタの表面を指で押し付けたり持ち上げたりする必要があるため、フィルタの表面（特に、フィルタの表面における表示部からの光を透過させるための領域）に指紋などが付き、これが液晶のバックライトにより浮き上がって見える、及び／または視認角度を変える際に指紋付着の汚れが目立つため、ユーザーに不快感を与えるという問題があった。
【００１３】
本実施の形態は、視認信号を表示する表示部における表示面の光の反射防止や表示面の視認角度制限等をすることができるフィルタを開示する。また、本実施の形態は、当該フィルタを着脱できる電子装置を開示する。
【００１４】
本実施の形態では、電子装置の一例としてノートパソコンを挙げている。
【００１５】
図１は、本実施の形態にかかるフィルタの平面図である。図１は、本実施の形態にかかるフィルタを、光が通過した面から見た平面図である。図１に示すフィルタ１０１は、相対向する一対の外縁辺１０１ａ及び１０１ｂと、この一対の外縁辺１０１ａ及び１０１ｂに直交する外縁辺１０１ｃ及び１０１ｄとで、基本的に矩形形状の光透過部１０１ｚを成している。
【００１６】
また、フィルタ１０１は、第１の突出部１０２、第２の突出部１０３、第３の突出部１０４ａ、第４の突出部１０４ｂ、および第５の突出部１０５を備えている。第１の突出部１０２は、外縁辺１０１ａと外縁辺１０１ｂとの離隔距離の中心線Ｑから外縁辺１０１ａの方向に突出している。第２の突出部１０３は、外縁辺１０１ａと外縁辺１０１ｂとの離隔距離の中心線Ｑから外縁辺１０１ｂの方向に突出している。第３の突出部１０４ａ及び第４の突出部１０４ｂは、外縁辺１０１ｃと外縁辺１０１ｄとの離隔距離の中心線Ｒから外縁辺１０１ｃ方向に突出している。第５の突出部１０５は、外縁辺１０１ｃと外縁辺１０１ｄとの離隔距離の中心線Ｒから外縁辺１０１ｄ方向に突出している。
【００１７】
以下の説明では、外縁辺１０１ａを「左外縁辺」、第１の突出部１０２を「左突出部」、外縁辺１０１ｂを「右外縁辺」、第２の突出部１０３を「右突出部」、外縁辺１０１ｃを「下外縁辺」、第３の突出部１０４ａ及び第４の突出部１０４ｂを「下突出部」、外縁辺１０１ｄを「上外縁辺」、第５の突出部１０５を「上突出部」と称する。
【００１８】
なお、図１に示す距離Ｌ１は、左突出部１０２の左外縁辺１０１ａに添う方向の中心線Ｔから上外縁辺１０１ｄまでの距離である。距離Ｌ２１は、右突出部１０３の右外縁辺１０１ｂに添う方向の中心線Ｕから上外縁辺１０１ｄまでの距離である。距離Ｌ２は、左突出部１０２の左外縁辺１０１ａに添う方向の中心線Ｔから下外縁辺１０１ｃまでの距離である。距離Ｌ２２は、右突出部１０３の右外縁辺１０１ｂに添う方向の中心線Ｕから下外縁辺１０１ｃまでの距離である。距離Ｌ１と距離Ｌ２１とは同一距離である。距離Ｌ２と距離Ｌ２２とは同一距離である。左突出部１０２と右突出部１０３とは、同一形状で形成されている。すなわち、左突出部１０２と右突出部１０３とは、中心線Ｑを中心とした対称位置に配置されている。なお、左突出部１０２と右突出部１０３は、それぞれ距離Ｌ１、Ｌ２、Ｌ２１、およびＬ２２が、
Ｌ１＜（Ｌ１＋Ｌ２）／２
Ｌ２１＜（Ｌ２１＋Ｌ２２）／２
の関係となる位置に配置することが好ましい。
【００１９】
また、距離Ｌ１１は、下突出部１０４ａと左外縁辺１０１ａとの距離である。距離Ｌ１２は、下突出部１０４ｂと右外縁辺１０１ｂとの距離である。距離Ｌ１１と距離Ｌ１２とは同一距離である。すなわち、下突出部１０４ａと下突出部１０４ｂとは、中心線Ｑを中心とした対称位置に配置されている。下突出部１０４ａ及び１０４ｂは、距離Ｌ１１及びＬ１２を大きくし、中心線Ｑに近い位置に形成することが好ましい。このような構成とすることにより、下突出部１０４ａ及び１０４ｂを下溝１２ａ及び１２ｂ（後述）へ挿入しやすくなるため、フィルタ１０１をノートパソコン１（後述）へ装着する作業が容易となる。なお、距離Ｌ１１及びＬ１２を大きくしすぎると、下突出部１０４ａ及び１０４ｂが互いに近づきすぎ、フィルタ１０１の姿勢が不安定になる。例えば、距離Ｌ１１は左外縁辺１０１ａから中心線Ｑまでの距離の半分以下とし、距離Ｌ１２は右外縁辺１０１ｂから中心線Ｑまでの半分以下とすることにより、フィルタ１０１の姿勢を安定させることができる。
【００２０】
上突出部１０５の長さＬ１４（上外縁辺１０１ｄに沿った方向の長さ）は、上外縁辺１０１ｄの長さＬ１３に近い寸法とすることが好ましい。本実施の形態では、上突出部１０５の長さＬ１４は、左外縁辺１０１ａ及び右外縁辺１０１ｂから中心線Ｒ方向に所定距離Ｌ１５及びＬ１６だけそれぞれ短い長さとした。
【００２１】
上突出部１０５は、後述するようにノートパソコン１に装着する際にユーザーが把持する把持代である。したがって、上突出部１０５の端部１０５ｃは、左外縁辺１０１ａの近傍に位置することが好ましい。また、上突出部１０５の端部１０５ｄは、右外縁辺１０１ｂの近傍に位置することが好ましい。
【００２２】
フィルタ１０１は、例えばポリカーボネイト、ポリエチレンテレフタレート、ポリメタクリレート等の材質で形成することができる。フィルタ１０１は、通常厚みが０．３ｍｍから２ｍｍ程度の可撓性を有するフィルムを適用することができる。フィルタ１０１は、光学特性が異なる層を積層した光透過部１０１ｚ（図１においてハッチングを施した領域）を備えている。
【００２３】
フィルタ１０１は、光透過部１０１ｚと、突出部１０２、１０３、１０４ａ、１０４ｂ、および１０５とを備えている。突出部１０２、１０３、１０４ａ、１０４ｂ、および１０５は、光透過部１０１ｚの周囲の４つの外縁辺（１０１ａ，１０１ｂ，１０１ｃ，１０１ｄ）から光透過部１０１ｚの表面の面方向に突出している。左突出部１０２、右突出部１０３、下突出部１０４ａ、および下突出部１０４ｂは、ノートパソコン１の表示枠に備える溝（後述）にそれぞれ挿入することができる。これによりフィルタ１０１は、ノートパソコン１の表示部に備える表示枠に装着することができる。
【００２４】
なお、フィルタ１０１は、光透過部１０１ｚの表面及び／または裏面を削って厚みを薄くする等の加工を施してもよい。このような加工を施すことで、光透過部１０１ｚが湾曲しやすくなるため、左突出部１０２、右突出部１０３、下突出部１０４ａ、および下突出部１０４ｂをノートパソコン１に備える溝に挿入し易くすることができる。
【００２５】
なお、フィルタ１０１は、通常は１枚のフィルムを切断して作成するため、左突出部１０２、右突出部１０３、下突出部１０４ａ、および下突出部１０４ｂと光透過部１０１ｚとは同一材料で形成する方が、製造しやすく、好ましい。
【００２６】
ユーザーは、左突出部１０２、右突出部１０３、下突出部１０４ａ、および下突出部１０４ｂを、それぞれ表示枠に備える溝に挿入する際、上突出部１０５を手で把持して、フィルタ１０１をノートパソコン１の表示部３から離間する方向へ湾曲させる。このとき、仮にフィルタが左突出部１０２、右突出部１０３、下突出部１０４ａ、および下突出部１０４ｂを備えていたとしても、ユーザーはフィルタを装脱着する際に光透過部に手を触れざるを得なかった。本実施の形態のフィルタ１０１では、光透過部１０１ｚから突出している上突出部１０５をユーザーが把持し、フィルタ１０１を湾曲させる構成であるため、ユーザーは光透過部１０１ｚに触れることなく容易にフィルタ１０１を湾曲させることができる。したがって、本実施の形態によれば、フィルタ１０１の光透過部１０１ｚにユーザーの指紋等が付着するのを防止することができ、光透過部１０１ｚにおける光の透過量低下を軽減し、表示部の視認性が低下するのを軽減することができる。また、光透過部１０１ｚに指紋が付着するのを抑えることができるので、清潔感を向上することができる。
【００２７】
また、フィルタ１０１の湾曲変形は、ノートパソコン１に装着する際の一時的な変形であるため、フィルタ１０１が塑性変形することはほとんどない。また、フィルタ１０１をノートパソコン１に装着する際、フィルタ１０１が有する可撓性の範囲以上の変形を付与しなくても、フィルタ１０１をノートパソコン１に装着できる。従って、ノートパソコン１に装着されたフィルタ１０１には、湾曲した塑性変形が生じにくい。
【００２８】
さらに、フィルタ１０１は、特開平１１−５２８７６号公報に開示しているような長尺のフィルムの形態ではなく、必要な面積に切断された独立した１枚であるため、装着に際してノートパソコン１が大型化することもない。なお、上述のように上突出部１０５はユーザーが両手で把持するため、表面に例えばマット加工等の滑り止め処理、あるいはフィルタ１０１を湾曲し易くするため上突出部１０５の厚みを薄くする処理等を、フィルタ１０１の可撓性等に応じて適宜選択することができる。また、上突出部１０５もその他の突出部と同様に光透過部と同一材料で構成することが安価に製造できるため好ましい。
【００２９】
〔２．ノートパソコンの構成〕
図２は、フィルタ１０１を装着できるノートパソコン１の一例を示す斜視図である。図３は、図２のＡ−Ａ矢視断面図である。図４は、フィルタ１０１を装着した状態のノートパソコン１の斜視図である。
【００３０】
ノートパソコン１は、本体部２と表示部３とを備えている。本体部２と表示部３とは、ヒンジ４ａ、４ｂにより矢印ＢまたはＣに示す方向へ開閉可能に軸支されている。
【００３１】
本体部２は、本体筐体５、キーボード６、ポインティングデバイス７、および電源スイッチ８を備えている。キーボード６は、複数のキーを備え、キーを押圧操作することにより情報を入力することができる。ポインティングデバイス７は、その操作面をユーザーが指等で接触することにより、情報を入力することができる。電源スイッチ８は、操作することにより、ノートパソコン１の電源をオンまたはオフに切り替えることができる。キーボード６、ポインティングデバイス７、および電源スイッチ８は、本体筐体５に備わる。本体筐体５は、キーボード６やポインティングデバイス７等の入力信号を視認信号に変換する信号処理回路（不図示）を内蔵している。
【００３２】
表示部３は、表示枠９と背面筐体１０とが、螺合や爪係合等で付き合わされている（図３参照）。背面筐体１０は、アルミニウムやマグネシウム等の軽量・剛性がある金属材料や、熱硬化性あるいは熱可塑性の高剛性を備える樹脂が、単独または複合して供される。表示枠９は、図３に示したディスプレイデバイス１４の有効表示領域１３を規定し表示面９ｅを構成する。また、表示枠９に供される材料としては、背面筐体１０に供される材料が適用可能であるが、一般的には樹脂材料が供される。また、ディスプレイデバイス１４は、例えば液晶ディスプレイデバイスで実現することができる。
【００３３】
なお、表示枠９は、左表示枠９ａ、右表示枠９ｂ、下表示枠９ｃ、および上表示枠９ｄを含む。上表示枠９ｄは、表示部３を図２に示す位置から矢印Ｂに示す方向へ回動させて表示部３を本体部２に近接させた時、ポインティングデバイス７側に位置する部分である。左表示枠９ａは、ノートパソコン１が図２に示す姿勢のときに、表示面９ｅ側を見て表示枠９に向かって左側の部分である。右表示枠９ｂは、ノートパソコン１が図２に示す姿勢のときに、表示面９ｅ側を見て表示枠９に向かって右側の部分である。下表示枠９ｃは、ノートパソコン１が図２に示す姿勢のときに、表示面９ｅ側を見て表示枠９に向かって下側の部分である。
【００３４】
表示枠９は、左溝１１ａ、右溝１１ｂ、下溝１２ａ、および下溝１２ｂを備えている。左溝１１ａは、左表示枠９ａにおける表示面９ｅの境界近傍に備わり、フィルタ１０１の左突出部１０２（図１参照）を挿入可能である。左溝１１ａにおける中心線Ｐ方向の中央と、上表示枠９ｄにおける表示面９ｅとの境界線との距離Ｌ３１は、フィルタ１０１における左突出部１０２と上外縁辺１０１ｄとの距離Ｌ１（図１参照）と同一距離である。右溝１１ｂは、右表示枠９ｂにおける表示面９ｅの境界近傍に備わり、フィルタ１０１の右突出部１０３（図１参照）を挿入可能である。右溝１１ｂにおける中心線Ｐ方向の中央と、上表示枠９ｄにおける表示面９ｅとの境界線との距離Ｌ３２は、フィルタ１０１における右突出部１０３と上外縁辺１０１ｄとの距離Ｌ２１（図１参照）と同一距離である。下溝１２ａ及び１２ｂは、下表示枠９ｃにおける表示面９ｅの境界近傍に備わり、フィルタ１０１の下突出部１０４ａ及び１０４ｂ（図１参照）をそれぞれ挿入可能である。
【００３５】
左溝１１ａ、右溝１１ｂ、下溝１２ａ、および下溝１２ｂは、左突出部１０２、右突出部１０３、下突出部１０４ａ、および下突出部１０４ｂが挿入できる大きさであれば、形状は特に限定されるものではなく、例えば矩形形状や台形形状等であっても良い。また、左溝１１ａ、右溝１１ｂ、下溝１２ａ、および下溝１２ｂの深さは、挿入する各突出部の外縁辺からの突出長さ以上であることが好ましい。
【００３６】
〔３．フィルタ１０１の着脱方法〕
図１〜図４を参照して、ノートパソコン１にフィルタ１０１を装着する手順について説明する。
【００３７】
まず、図２に示すように、ノートパソコン１を開いた状態にする。
【００３８】
次に、図４に示すように、フィルタ１０１の上突出部１０５の端部１０５ｃ近傍と端部１０５ｄ近傍とを両方の手の指で把持し、下突出部１０４ａを下溝１２ａに挿入し、下突出部１０４ｂを下溝１２ｂに挿入する。
【００３９】
次に、上突出部１０５の端部１０５ｃを矢印Ｅに示す方向へ変位させ、端部１０５ｄを矢印Ｆに示す方向へ変位させながら、フィルタ１０１の上側（上突出部１０５側）をディスプレイデバイス１４から離間する方向へ湾曲させる。具体的には、図１に示す左突出部１０２と右突出部１０３との直線距離Ｌ１７が、図２に示す左溝１１ａと右溝１１ｂとの距離Ｌ３３（左表示枠９ａと表示面９ｅとの境界線と、右表示枠９ｂと表示面９ｅとの境界線との距離）よりも小さくなるように、フィルタ１０１の上側を湾曲させる。
【００４０】
次に、左突出部１０２を左溝１１ａに挿入可能で、右突出部１０３を右溝１１ｂに挿入可能な位置に、フィルタ１０１の位置調整をする。
【００４１】
次に、上突出部１０５を把持している両手をフィルタ１０１から離す。フィルタ１０１から両手を離すと、フィルタ１０１の可撓性に起因する復元力でフィルタ１０１は元の形状に戻る。フィルタ１０１が元の形状に戻る際、左突出部１０２は左溝１１ａに挿入され、右突出部１０３は右溝１１ｂに挿入される。上突出部１０５は、上表示枠９ｄに当接する。
【００４２】
これにより、図４に示したように、フィルタ１０１の表示部３への装着が完了する。
【００４３】
フィルタ１０１は、光透過部１０１ｚを表示枠９が規定する有効表示領域１３（図３参照）と実質同一寸法に設定しているので、表示面９ｅに沿って表示部３に装着することができる。
【００４４】
また、上突出部１０５は、フィルタ１０１を表示部３に装着したとき、上表示枠９ｄの表面に当接する。また、図３に示すように表示面９ｅと上表示枠９ｄの表面とには、僅かな段差Ｓ１がある。本実施の形態のフィルタ１０１は、可撓性を有する材料で形成されているため、表示部３に装着したときに表示面９ｅと上表示枠９ｄの表面の形状に沿って、光透過部１０１ｚと上突出部１０５との境界近傍が変形する。したがって、光透過部１０１ｚの変形を抑えることができるので、フィルタ１０１の光学特性を劣化させる可能性を低くすることができる。また、光透過部１０１ｚの変形を抑えることができるので、フィルタ１０１が複数の膜を積層して形成されていたとしても、膜同士が剥離する可能性を低くすることができる。
【００４５】
さらに、フィルタ１０１は、自重により下溝１２ａ及び１２ｂから下突出部１０４ａ及び１０４ｂが脱落する可能性は低く、フィルタ１０１の可撓性により左溝１１ａ及び右溝１１ｂから左突出部１０２及び右突出部１０３が抜け出る可能性は低い。
【００４６】
なお、ノートパソコン１は、閉じた状態にしたとき、本体部２の主平面と表示部３の主平面との間には僅かな隙間が生じる。本実施の形態のフィルタ１０１の厚みは、高々数ｍｍ程度であり、少なくとも本体部２と表示部３との隙間よりも薄い。したがって、フィルタ１０１を装着したままノートパソコン１を閉じた姿勢に移行することができ、例えば持ち運びするたびにフィルタ１０１を取り外す必要がない。
【００４７】
このように、フィルタ１０１は、ノートパソコン１の表示部３に適正に装着できる。
【００４８】
なお、左突出部１０２、右突出部１０３、下突出部１０４ａ、および下突出部１０４ｂの形状は、左溝１１ａ、右溝１１ｂ、下溝１２ａ、および下溝１２ｂから抜け出し易い形状であれば特に限定されるものではない。左突出部１０２、右突出部１０３、下突出部１０４ａ、および下突出部１０４ｂの形状は、左溝１１ａ、右溝１１ｂ、下溝１２ａ、および下溝１２ｂへスムーズに挿入可能とするため、突出方向の幅が狭い例えば台形（図１等参照）や三角形とすることが好ましい。
【００４９】
また、図１に示す距離Ｌ１及びＬ２１を短くすればするほど、左溝１１ａを左突出部１０２に挿入しやすく、右突出部１０３を右溝１１ｂに挿入しやすいため、好ましい。また、図１に示す距離Ｌ１及びＬ２１を短くすればするほど、表示枠９に対するフィルタ１０１の装着が安定化できる。
【００５０】
次に、フィルタ１０１をノートパソコン１から離脱する手順について説明する。
【００５１】
まず、図４において、装着したフィルタ１０１は可撓性を有するため、上突出部１０５の端部１０５ｃ及び／または１０５ｄ近傍を指等で上表示枠９ｄに対して摺動させ、上突出部１０５の端部１０５ｃを矢印Ｅに示す方向へ変位させるか、端部１０５ｄを矢印Ｆに示す方向へ変位させ、端部１０５ｃと端部１０５ｄとを互いに近寄せる。すなわち、上突出部１０５の端部１０５ｃと端部１０５ｄとの直線距離Ｌ１４が縮まるように上突出部１０５及びその近傍を湾曲させる。これにより、上突出部１０５が上表示枠９ｄから離間する。
【００５２】
次に、ユーザーは、上突出部１０５を両手もしくは片手で把持する。
【００５３】
次に、上突出部１０５を上表示枠９ｄから離隔する方向へ変位させると、フィルタ１０１が湾曲変形し、左突出部１０２が左溝１１ａから離脱し、右突出部１０３が右溝１１ｂから離脱する。
【００５４】
次に、上突出部１０５を把持した状態のまま、フィルタ１０１を矢印Ｇに示す方向へ変位させることにより、下突出部１０４ａが下溝１２ａから離脱し、下突出部１０４ｂが下溝１２ｂから離脱する。
【００５５】
これにより、フィルタ１０１を表示部３から離脱することができる。
【００５６】
〔４．実施の形態の効果、他〕
本実施の形態によれば、ユーザーが専ら視認する光透過部１０１ｚに触れることなくフィルタ１０１をノートパソコン１に着脱することができる。従って、フィルタ１０１の着脱に際し、従来のようにフィルタの光透過部にユーザーの指紋等が付着し、ディスプレイデバイス１４の視認性が低下することを抑制することができる。また、光透過部１０１ｚに触れることに起因する機能性薄膜（例えばフィルタ表面に施されている反射防止膜等）に損傷を与えることを、抑制することができる。
【００５７】
また、フィルタ１０１の上外縁辺１０１ｄに上突出部１０５を設けることにより、この上突出部１０５を上方から指で持ってフィルタを着脱する操作がし易いため、好ましい。また、左突出部１０２及び右突出部１０３をフィルタ１０１の左外縁辺１０１ａ及び右外縁辺１０１ｂから突出形成することによって、上突出部１０５の捻りでフィルタ１０１の上部の撓みによる変形がフィルタ１０１の下外縁辺１０１ｃに比べて大きくなるため、フィルタ１０１の着脱操作が円滑で容易に、しかも光透過部１０１ｚへのユーザーの指紋が付着することなく行える。
【００５８】
また、フィルタ１０１は、独立した１枚のフィルム状であるため、取り扱いが極めて容易である。例えば、フィルタ１０１は、独立した１枚のフィルム状であるため、湾曲した塑性変形が生じにくく、ノートパソコン１に対する装着が安定する。
【００５９】
上記実施形態で説明したフィルタ１０１は、他の形態を採ることもできる。
【００６０】
（変形例１）
上突出部１０５の長さＬ１４（図１参照）は、ほぼ上外縁辺１０１ｄの長さＬ１３（図１参照）と同じ長さを備えるため、例えばフィルタ１０１を可撓性が低い材質等で形成した場合、ノートパソコン１への着脱の際に上突出部１０５の復元力が強すぎて取り扱いに困難を来す場合が想定される。
【００６１】
また、本体部２と表示部３との閉塞状態を確実にするために、表示部３におけるヒンジ４ａ及び４ｂに対向する上側中心部等に爪部を備え、本体部２のポインティングデバイス７の近傍に爪部が係合可能な凹部を備えるノートパソコン１がある。このようなノートパソコンの場合には、上突出部１０５が表示部３に備わる爪部に干渉する可能性があり、フィルタ１０１を表示部３に着脱しにくい場合がある。
【００６２】
図５は、変形例１にかかるフィルタの平面図である。図６は、変形例１にかかるフィルタが装着されたノートパソコンの斜視図である。図５に示すように、フィルタ１０６は、フィルタ１０１における上突出部１０５に代えて、互いに独立した上突出部１０５ａと上突出部１０５ｂを備えている。上突出部１０５ａと上突出部１０５ｂとの間には、空隙を有する。なお、フィルタ１０６における左突出部１０２、右突出部１０３、下突出部１０４ａ、下突出部１０４ｂは、全てフィルタ１０１に備わる突出部と同じ構成である。なお、上突出部１０５ａ及び１０５ｂは、略半円形状としたが、形状は限定するものではなく、少なくとも上外縁辺１０６ｄに沿って独立して配置されていればよい。
【００６３】
図５に示すように、互いに独立した上突出部１０５ａと上突出部１０５ｂとを備えたことにより、フィルタ１０６が変形（湾曲化等）に対する復元力が強い材質で形成されている場合、フィルタ１０６をノートパソコン１に着脱する際におけるフィルタ１０６の復元力を空隙分だけ弱化させることができる。したがって、フィルタ１０６の着脱を容易にすることができる。
【００６４】
また、図６に示すように、上突出部１０５ａと上突出部１０５ｂとの間の空隙部に、爪部１６を配することができるため、本体部２と表示部３とを閉じた状態におけるフィルタ１０６の位置の安定性を向上させることができる。
【００６５】
（変形例２）
例えば、ガラス等の透光性基材に色材を塗布したフィルタであれば表裏を問わない光学特性を備えるが、例えばディスプレイデバイス１４の視野角を変更するフィルタ等では、表裏で特性が異なる。上述の実施形態のフィルタ１０１及び１０６では、表示部３に装着したフィルタの表裏が判別しにくく、本来備えるフィルタ特性を発揮できない場合が想定される。
【００６６】
このようにノートパソコン１に装着するフィルタの表裏を識別する識別子を、フィルタ１０１及び１０６に備える各種突出部で示すことが好ましい。この識別子の具体的な例は後述するが、思想的には下記の識別方法（ａ）〜（ｅ）を単独または適宜組み合わせて適用することができる。
【００６７】
（ａ）配置による識別方法：フィルタの外縁辺に備える突出部（単数でも複数でも可）の突出方向に平行な外縁辺からの離隔距離を変化させる。
【００６８】
（ｂ）突出長さによる識別方法：一辺の外縁辺に備える突出部（単数でも複数でも可）または相対向する一対の外縁辺に備える突出部（複数）の何れかにおける突出部の突出長さを変化（突出部が単数の場合には何れか一方の端部近傍または両端部近傍で相異ならせる）させる。
【００６９】
（ｃ）形状による識別方法：一辺の外縁辺に備える突出部（単数でも複数でも可）または相対向する一対の外縁辺に備える突出部（複数）の何れかにおける突出部の形状（突出部の外形や厚み）を変化（突出部が単数の場合には何れか一方の端部近傍または両端部近傍で相異ならせる）させる。
【００７０】
（ｄ）着色による識別方法：一辺の外縁辺に備える突出部（単数でも複数でも可）または相対向する一対の外縁辺に備える突出部（複数）の何れかにおける突出部の色合いを変化（突出部が単数の場合には何れか一方の端部近傍または両端部近傍で相異ならせる）させる。
【００７１】
（ｅ）文字による識別方法：一辺の外縁辺に備える突出部（単数でも複数でも可）または相対向する一対の外縁辺に備える突出部（複数）の何れかにおける突出部に表裏や左右のような文字（塗布や刻印）を変化（突出部が単数の場合には何れか一方の端部近傍または両端部近傍で相異ならせる）させる。
【００７２】
なお、フィルタを装着するディスプレイデバイスにも、上述の識別方法（ａ）乃至（ｄ）を満たす識別子に応じて、表示枠９の溝または表面に判別する判別子を備えることで、フィルタの正常な装着をユーザーに対して指示することができるため好ましい。
【００７３】
図７及び図８は、変形例２にかかるフィルタの平面図である。図７及び図８に示す各フィルタは、表示部３に正しい姿勢で装着できる構成を備えている。
【００７４】
図７に示すフィルタ１０７は、上突出部１０５、下突出部１０４ａ、および下突出部１０４ｂが図１に示すフィルタ１０１と同じ構成である。図８に示すフィルタ１０９は、上突出部１０５ａ、上突出部１０５ｂ、下突出部１０４ａ、および下突出部１０４ｂが図５と同じ構成である。
【００７５】
フィルタ１０７において、左突出部１０２と右突出部１０８とは同一形状で、中心線Ｑから左外縁辺１０７ａと右外縁辺１０７ｂからそれぞれ突出している。左突出部１０２と右突出部１０８とでは、左突出部１０２における左外縁辺１０７ａに沿った中心線Ｔと上外縁辺１０７ｄとの距離Ｌ１に対し、右突出部１０８における右外縁辺１０７ｂに沿った中心線Ｕと上外縁辺１０７ｄとの距離Ｌ３が異なる。本実施形態では、一例として、
Ｌ１＜Ｌ３
となるように左突出部１０２と右突出部１０８とを配置している。なお、距離Ｌ１と距離Ｌ３との比率は、例えば、
Ｌ１：Ｌ３＝１：１．５
等とすることができる。なお、本実施形態でも図示しているように、Ｌ３＜（Ｌ３＋Ｌ４）／２の関係は、前述した理由で維持している。
【００７６】
ノートパソコン１は、図７に示すフィルタ１０７を装着できるように、図１１に示すように左溝１１ａ、右溝１１ｂ、下溝１２ａ、および下溝１２ｂを配置している。すなわち、左溝１１ａの軸Ｐ方向の中心から上表示枠９ｄと表示面９ｅとの境界線までの距離Ｌ３４と、右溝１１ｂの軸Ｐ方向の中心から上表示枠９ｄと表示面９ｅとの境界線までの距離Ｌ３５とを、
Ｌ３４＜Ｌ３５
Ｌ３４＝Ｌ１
Ｌ３５＝Ｌ３
の関係を有する位置に左溝１１ａと右溝１１ｂとを形成している。これにより、フィルタ１０７を、その表裏方向が正しい姿勢のときのみ表示部３に装着することができる。
【００７７】
仮に、フィルタ１０７の表裏方向が誤った姿勢で表示部３に装着しようとすると、図１２に示す状態になる。図１２に示す状態では、右突出部１０８は、左溝１１ａに挿入されず、左表示枠９ａの上に位置している。また、左突出部１０２は、右溝１１ｂに挿入されず、右表示枠９ｂの上に位置している。したがって、図１２に示すように、フィルタ１０７の表裏方向を誤った姿勢で表示部３に装着しようとしても、装着することができない。
【００７８】
したがって、変形例２にかかるフィルタ１０７によれば、フィルタ１０７の表裏が正しい姿勢のときのみ表示部３に装着することができ、所望のフィルタ特性を得ることができる。
【００７９】
図８に示すフィルタ１０９は、左突出部１０２、右突出部１０８、下突出部１０４ａ、および下突出部１０４ｂがフィルタ１０７と同じ構成であり、上突出部１０５に代えて上突出部１０５ａと上突出部１０５ｂとを備えた点が異なる。したがって、フィルタ１０７と同様に装着に際してフィルタの表裏を判別することができる。また、フィルタ１０９は、フィルタ１０７が装着可能なノートパソコン（図１１、図１２参照）に装着することができる。
【００８０】
図７及び図８に示す左突出部１０２と右突出部１０８は、フィルタ１０７及び１０９の表裏を識別可能な識別子の一例である。左突出部１０２と右突出部１０８を用いたフィルタ１０７及び１０９の表裏識別方法は、前述の識別方法（ａ）の一例である。
【００８１】
なお、フィルタ１０７は、表裏の判定手段として、上外縁辺１０７ｄから左突出部１０２までの距離Ｌ１と、上外縁辺１０７ｄから右突出部１０８までの距離Ｌ３を異ならせる構成とした。また、フィルタ１０９は、表裏の判定手段として、上外縁辺１０９ｄから左突出部１０２までの距離Ｌ１と、上外縁辺１０９ｄから右突出部１０８までの距離Ｌ３を異ならせる構成とした。しかし、上外縁辺１０７ｄまたは１０９ｄからの距離が短い方を左突出部１０２とする必然性はなく、当然右突出部１０８の方を短くする構成も可能である。また、例えば、左外縁辺１０７ａまたは１０９ａと下突出部１０４ａとの距離と、右外縁辺１０７ａまたは１０９ｂと下突出部１０４ｂとの距離とを異ならせる構成でも、本変形例と同様の効果が得られる。
【００８２】
（変形例３）
図９は、変形例３にかかるフィルタの平面図である。図９に示すフィルタ１１０は、上突出部１０５、下突出部１０４ａ、および下突出部１０４ｂが図１に示すフィルタ１０１と同じ構成である。図９に示すフィルタ１１０は、左突出部１０２と右突出部１１１との形状を異ならせている。具体的には、左外縁辺１１０ａに沿った方向の左突出部１０２の長さＬ４１と、右外縁辺１１０ｂに沿った右突出部１１１の長さＬ４２とが、
Ｌ４１＜Ｌ４２
の関係を有する形状としている。
【００８３】
なお、右突出部１１１の右外縁辺１１０ｂに沿った中心線Ｕと上外縁辺１１０ｄとの距離Ｌ５と、右突出部１１１の右外縁辺１１０ｂに沿った中心線Ｕと下外縁辺１１０ｃとの距離Ｌ６とは、
Ｌ５＜（Ｌ５＋Ｌ６）／２
の関係を有する。但し、右突出部１１１の長さＬ４２は、左外縁辺１１０ｂの長さ（Ｌ５＋Ｌ６）半分未満であるため距離Ｌ５は上述の関係となるが、長さＬ４２が例えば上側突出部１０５の長さＬ１４のように右外縁辺１１０ｂの長さ（Ｌ５＋Ｌ６）に近い場合には、上記関係は意味を成さない。
【００８４】
フィルタ１１０の左突出部１０２、右突出部１１１、下突出部１０４ａ、および下突出部１０４ｂが挿入可能な溝を有する表示枠を備えたノートパソコンに、フィルタ１１０を装着すると、左突出部１０２と右突出部１１１との形状の相違により、フィルタ１１０の表裏を判別することができ、フィルタ特性に応じた装着が可能である。
【００８５】
なお、左突出部１０２及び右突出部１１１は、寸法Ｌ４１及びＬ４２が、
Ｌ４１＞Ｌ４２
の関係となる大きさとしても、フィルタ１１０の表裏を判別することができ、フィルタ特性に応じた装着が可能である。
【００８６】
また、左突出部１０２及び右突出部１０３は、上外縁辺１１０ｄと中心線Ｔとの距離Ｌ１と、上外縁辺１１０ｄと中心線Ｕとの距離Ｌ５とを、
Ｌ１＞Ｌ５
の関係となるように配置しても、フィルタ１１０の表裏を判別することができ、フィルタ特性に応じた装着が可能である。
【００８７】
また、上外縁辺１１０ｄと中心線Ｔとの距離Ｌ１と、上外縁辺１１０ｄと中心線Ｕとのの距離Ｌ５とを同一としてもよい。但し、その場合、右突出部１１１の位置（距離Ｌ５）と大きさ（寸法Ｌ４２）は、
Ｌ５≧（Ｌ４２／２）
の関係を満たす必要がある。
【００８８】
図９に示す左突出部１０２と右突出部１１１は、フィルタ１１０の表裏を識別可能な識別子の一例である。左突出部１０２と右突出部１１１を用いたフィルタ１１０の表裏識別方法は、前述の識別方法（ａ）、（ｂ）、（ｃ）の一例である。
【００８９】
（変形例４）
図１０は、変形例４にかかるフィルタの平面図である。図１０に示すフィルタ１１２は、左突出部１０２、右突出部１０３、下突出部１０４ａ、および下突出部１０４ｂが図１と同じ構成である。フィルタ１１２に備わる左突出部１０２、右突出部１０３、下突出部１０４ａ、下突出部１０４ｂ、上突出部１０５ａ、上突出部１０５ｂは、例えば図５と同一構成である。フィルタ１１２は、右外縁辺に沿った溝の長さや、上表示枠９ｄと右溝との長さに工夫をすることなく、フィルタ特性に応じた装着が可能な一例である。すなわち、フィルタ１１２は、上突出部１０５ａに、表裏を識別可能な貫通孔１１３を備えている。
【００９０】
ノートパソコン１にフィルタ１１２を装着した状態で、ユーザーは貫通孔１１３を視認することができるため、予めユーザーがフィルタ１１２の表裏と貫通孔１１３の向きとの関係を把握していると、フィルタ１１２を正しい向きで表示部３に装着することができる。これにより、フィルタ１１２による所望のフィルタ特性を得ることができる。
【００９１】
図１０に示す上突出部１０５ａ及び１０５ｂは、フィルタ１１２の表裏を識別可能な識別子の一例である。上突出部１０５ａ及び１０５ｂを用いたフィルタ１１２の表裏識別方法は、前述の識別方法（ｃ）の一例である。
【００９２】
なお、フィルタ１１２は左側の上突出部１０５ａに貫通孔１１３を備えた構成であるが、右側の上突出部１０５ｂに貫通孔を備える構成であっても、フィルタの表裏を目視または指の感触で判別することができる。
【００９３】
また、上表示枠９ｄは、貫通孔１１３に対応する位置にマークを表記する構成とすることが好ましい。このマークは、フィルタ１１２を正しい表裏方向で表示部３に装着したときに貫通孔１１３と重なる位置に表記することが好ましい。
【００９４】
また、上表示枠９ｄは、貫通孔１１３に挿入可能な位置決め突起を備える構成とすることが好ましい。この位置決め突起は、フィルタ１１２を正しい表裏方向で表示部３に装着したときに貫通孔１１３に嵌合する位置に形成することが好ましい。
【００９５】
また、フィルタ１１２の表裏を判別する機能としては、貫通孔１１３を備える構成に必然性はなく、様々な構成がある。
【００９６】
例えば、図５に示す上突出部１０５ａまたは１０５ｂの何れかの面に凸状突起を備える構成であってもよい。例えばフィルタ１０６の表面と同一面上における上突出部１０５ａまたは１０５ｂに凸状突起を備えることにより、ユーザーは凸状突起が目視可能か否かによってフィルタの表裏を判別することができる。また、凸状突起を備えることにより、例えばユーザーが親指と人差指とで上突出部１０５ａまたは１０５ｂを挟持し、指の感触により凸状突起の有無を判別することで、フィルタの表裏を判別することができる。なお、凸状突起は、フィルタ１０６を表示部３に装着したままノートパソコンを閉じたときに、本体部２に干渉しない高さ（たとえ干渉したとしても、ノートパソコンを閉状態への移行を阻害しない高さ）とすることが好ましい。なお、上突出部１０５ａまたは１０５ｂの何れかに凸状突起を備え、他方には例えば貫通孔のような凹状部を備えても良い。また、図７に示すフィルタ１０７のように１つの上突出部１０５を備える構成の場合には、端部１０５ｃ及び１０５ｄのうち何れか一方の端部及びその近傍に凸状突起を備える構成や、何れか一方の端部及びその近傍に凸状突起を備え他方には凹状部を備える構成であっても良い。この構成を用いたフィルタの表裏識別方法は、前述の識別方法（ｃ）の一例である。
【００９７】
また、図５に示すように互いに独立した複数の上突出部１０５ａ及び１０５ｂを備えるフィルタの場合には、その何れか一方の上突出部のみを着色（他方の上突出部は透明）するか、または上突出部１０５ａ及び１０５ｂにそれぞれ互いに異なる色を着色する構成としてもよい。このような構成とすることにより、ユーザーは目視により上突出部１０５ａ及び１０５ｂの着色状態を把握することで、フィルタの表裏を判別することができる。この構成を用いたフィルタの表裏識別方法は、前述の識別方法（ｄ）の一例である。
【００９８】
また、図７に示すフィルタ１０７のように１つの上突出部１０５を備える構成の場合には、端部１０５ｃ及び１０５ｄのうち何れか一方の端部及びその近傍を着色（他方の端部は透明）するか、または両方の端部１０５ｃ及び１０５ｄにそれぞれ異なる色を着色する構成としてもよい。このような構成とすることにより、ユーザーは目視により端部１０５ｃ及び１０５ｄの着色状態を把握することで、フィルタの表裏を判別することができる。この構成を用いたフィルタの表裏識別方法は、前述の識別方法（ｄ）の一例である。
【００９９】
また、図６に示す左突出部１０２及び右突出部１０３は、距離Ｌ１と距離Ｌ２１とを同じ距離としたが、図７に示すフィルタ１０７のように、距離Ｌ１と距離Ｌ３とのように上外縁辺１０７ｄからの距離を異ならせる構成であってもよい。このような構成とすることで、ユーザーは目視または指による感触により左突出部１０２及び右突出部１０３の位置を把握することで、フィルタの表裏を判別することができる。この構成を用いたフィルタの表裏識別方法は、前述の識別方法（ａ）の一例である。
【０１００】
また、図１や図５に示す左突出部１０２及び右突出部１０３は、互いに同じ大きさとしたが、図９に示すフィルタ１１０のように、左突出部の長さＬ４１と右突出部の長さＬ４２とを異ならせる構成であってもよい。このような構成とすることで、ユーザーは目視または指による感触により左突出部１０２及び右突出部１０３の大きさを把握することで、フィルタの表裏を判別することができる。この構成を用いたフィルタの表裏識別方法は、前述の識別方法（ｂ）、（ｃ）の一例である。
【０１０１】
また、図１０に示す下突出部１０４ａ及び１０４ｂは、下突出部１０４ａから左外縁辺１１２ａまでの距離Ｌ１１と下突出部１０４ｂから右外縁辺１１２ｂまでの距離Ｌ１２とを同じ距離としたが、互いに異なる位置に配置してもよい。このような構成とすることにより、ユーザーは目視または指による感触により下突出部１０４ａ及び１０４ｂの位置を装着する際に、フィルタの表裏を判別することができる。この構成を用いたフィルタの表裏識別方法は、前述の識別方法（ａ）の一例である。
【０１０２】
また、図１における距離Ｌ１５と距離Ｌ１６とが異なる寸法となるように上突出部１０５を配置する構成であっても、ユーザーは目視または指による感触により上突出部１０５の位置を把握し、フィルタの表裏を判別することができる。この構成を用いたフィルタの表裏識別方法は、前述の識別方法（ａ）の一例である。
【０１０３】
また、図１における距離Ｌ１５と距離Ｌ１６とが異なる寸法となる位置に上突出部１０５を配置する構成とする場合は、上表示枠９ｄにおける、正しい表裏方向でフィルタを表示部３に装着したときの端部１０５ｃ及び１０５ｄに対応する位置に、マークが表記された構成とすることが好ましい。
【０１０４】
また、図１における距離Ｌ１１と距離Ｌ１２とが異なる寸法となる位置に下突出部１０４ａ及び１０４ｂを配置する構成であっても、ユーザーは目視または指による感触により下突出部１０４ａ及び１０４ｂの位置を装着する際に、フィルタの表裏を判別することができる。この構成を用いたフィルタの表裏識別方法は、前述の識別方法（ａ）の一例である。
【０１０５】
また、図５に示す上突出部１０５ａ及び１０５ｂは同一形状としたが、互いに異なる形状とすることにより、ユーザーは目視または指による感触によりフィルタの形状を把握し、フィルタの表裏を判別することができる。具体的には、例えば上突出部１０５ａ及び１０５ｂのうちいずれか一方を長方形状とし、他方を半円形状とすることができる。この構成を用いたフィルタの表裏識別方法は、前述の識別方法（ｃ）の一例である。
【０１０６】
また、図５に示す上突出部１０５ａ及び１０５ｂを互いに異なる形状とする場合は、上表示枠９ｄにおける、正しい表裏方向でフィルタを表示部３に装着したときの上突出部１０５ａ及び１０５ｂに対応する位置に、上突出部１０５ａ及び１０５ｂの外形と同一形状のマークが表記された構成とすることが好ましい。
【０１０７】
また、左突出部１０２の数と右突出部１０３の数とを異ならせることにより、ユーザーは目視または指による感触により左突出部１０２の数と右突出部１０３の数を把握し、フィルタの表裏を判別することができる。
【０１０８】
また、上突出部１０５、１０５ａ、および１０５ｂにおいて、フィルタの表面と同一面上に「表面」の文字を表記し、フィルタの裏面の同一面上に「裏面」の文字を表記する構成とすることにより、ユーザーは目視によりフィルタの表裏を判別することができる。また、このような構成とすることにより、フィルタのみを目視することでフィルタの表裏を判別することができるため、表示部３に装着する前にフィルタの表裏を把握することができ、表裏誤装着が発生する可能性を低くすることができる。この構成を用いたフィルタの表裏識別方法は、前述の識別方法（ｅ）の一例である。
【０１０９】
また、左突出部１０２に「左」の文字を表記し、右突出部１０３に「右」の文字を表記する構成としてもよい。このような構成において、例えばフィルタ１０１の表裏を誤った姿勢で表示部３に装着しようとした場合、ユーザーにとっては左突出部１０２及び右突出部１０３に表記された文字が表裏反転して見えることになる。ユーザーは、左突出部１０２及び右突出部１０３に表記された文字が表裏反転しない方向で表示部３に装着することで、結果的にフィルタ１０１が正しい表裏方向で表示部３に装着されることになる。この構成を用いたフィルタの表裏識別方法は、前述の識別方法（ｅ）の一例である。
【０１１０】
また、左突出部１０２に「左」の文字を表記し、右突出部１０３に「右」の文字を表記する構成では、フィルタ１０１を表示部３に装着した際、左突出部１０２は左溝１１ａに挿入され、右突出部１０３は右溝１１ｂに挿入されるため、左突出部１０２及び右突出部１０３に表記された文字は目視できなくなる。したがって、ユーザーが表示部３の有効表示エリアに表示された画像を見ながらノートパソコンを操作しているときに、左突出部１０２及び右突出部１０３に表記された文字がユーザーの視界に入ることがないため、ユーザーの作業効率を低下させることがない。この構成を用いたフィルタの表裏識別方法は、前述の識別方法（ｅ）の一例である。
【０１１１】
なお、フィルタの表裏判別を可能とするために、変形例４において様々な構成を挙げたが、左突出部、右突出部、下突出部、および上突出部のうち少なくとも一つが、中心線Ｑを挟んで非対称位置および／または非対称形状となるように形成されていれば、フィルタの表裏判別が可能である。
【０１１２】
なお、上記実施の形態においては、ノートパソコン１に、フィルタ１０１の左突出部１０２、右突出部１０３、下突出部１０４ａ、および下突出部１０４ｂを挿入可能な溝を備えた構成としたが、溝に限らず、例えば穴であってもよい。少なくともフィルタ１０１の左突出部１０２、右突出部１０３、下突出部１０４ａ、および下突出部１０４ｂを挿入可能であれば他の形状や構成であってもよい。
【０１１３】
また、本実施の形態では、２つの下突出部（下突出部１０４ａ及び１０４ｂ）と２つの下溝（下溝１２ａ及び１２ｂ）を備えたが、下突出部及び下溝はそれぞれ１つであってもよい。フィルタ１０１に１つの下突出部を備える場合は、下外縁辺１０１ｃにおける中心線Ｒ方向の中央（中心線Ｑに重なる位置）に配置することが好ましく、表示部３に１つの下溝を備える場合は、下表示枠９ｃにおける中心線Ｒ方向の中央（中心線Ｐに重なる位置）に配置することが好ましい。このような下突出部及び下溝の配置とすることにより、ノートパソコン１に装着されたフィルタ１０１の姿勢が安定する。なお、ノートパソコン１に装着されたフィルタ１０１の姿勢を安定させることができれば、１つの下突出部及び１つの下溝は、中心線Ｐ及びＱに重なる位置に限らず、中心線Ｐ及びＱから中心線Ｒ方向へずれた位置に配置してもよい。
【０１１４】
また、本実施の形態では、電子装置としてノートパソコンを例にして説明したが、ノートパソコンに限られるものではなく、例えばディスクトップ型のパソコン等に接続可能なモニター、携帯情報端末装置、携帯電話端末、携帯型ゲーム機などであってもよい。
【０１１５】
また、本実施の形態における左突出部１０２は、第１の突出部の一例である。本実施の形態における右突出部１０３、１０８、１１１は、第２の突出部の一例である。本実施の形態における下突出部１０４ａ及び１０４ｂは、第３の突出部の一例である。本実施の形態における上突出部１０５、１０５ａ、１０５ｂは、第４の突出部の一例である。本実施の形態における上突出部１０５ａ及び１０５ｂは、複数の突出部の一例である。本実施の形態における光透過部１０１ｚは、光透過部の一例である。本実施の形態における左外縁辺１０１ａ，１０６ａ、１０７ａ、１０９ａ、１１０ａ、１１２ａと右外縁辺１０１ｂ、１０６ｂ、１０７ｂ、１０９ｂ、１１０ｂ、１１２ｂは、一対の外縁辺の一例である。本実施の形態における下外縁辺１０１ｃ、１０６ｃ、１０７ｃ、１０９ｃ、１１０ｃ、１１２ｃは、一方の外縁辺の一例である。本実施の形態における上外縁辺１０１ｄ、１０６ｄ、１０７ｄ、１０９ｄ、１１０ｄ、１１２ｄは、他方の外縁辺の一例である。本実施の形態における中心線Ｑは、第１の中心線の一例である。本実施の形態における中心線Ｒは、第２の中心線の一例である。本実施の形態における中心線Ｔは、第３の中心線の一例である。本実施の形態における中心線Ｕは、第４の中心線の一例である。本実施の形態における長さＬ４１は、第１の突出幅の一例である。本実施の形態における長さＬ４２は、第２の突出幅の一例である。本実施の形態における貫通孔１１３は、識別部の一例である。本実施の形態における左溝１１ａは、第１の係合部の一例である。本実施の形態における右溝１１ｂは、第２の係合部の一例である。本実施の形態における下溝１２ａ及び１２ｂは、第３の係合部の一例である。本実施の形態における上表示枠９ｄは、枠体の一例である。
【産業上の利用可能性】
【０１１６】
本願は、ディスプレイデバイスに装着可能なフィルタに有用である。本願は、ディスプレイデバイスを備えた電子装置に有用である。
【符号の説明】
【０１１７】
１０１  フィルタ
１０２  左突出部
１０３、１０８、１１１  右突出部
１０４ａ、１０４ｂ  下突出部
１０５、１０５ａ、１０５ｂ  上突出部
【図１】
0005520167.tif 000002
【図２】
0005520167.tif 000003
【図３】
0005520167.tif 000004
【図４】
0005520167.tif 000005
【図５】
0005520167.tif 000006
【図６】
0005520167.tif 000007
【図７】
0005520167.tif 000008
【図８】
0005520167.tif 000009
【図９】
0005520167.tif 000010
【図１０】
0005520167.tif 000011
【図１１】
0005520167.tif 000012
【図１２】
0005520167.tif 000013